(57)【要約】【課題】複数の筐体からなる携帯機器の外装筐体において、落下等に対する耐衝撃性に優れ、小型化も可能である外装筐体を提供する。【解決手段】携帯機器の外装筐体である外装ケース１は、前カバー２と後カバー３とが組み合わされて構成され、後カバー３は、前カバー２と対向する対向面３ａ，３ｂを有し、該対向面には前カバー２と組み合わされるための溝３ｃを有しており、前カバー２は、対向面３ａ，３ｂに対向する対向面２ａ，２ｂと、溝３ｃに嵌合する凸部２ｃとを有し、凸部２ｃは、斜面２ｄ，２ｅからなる壁面を有しており、一方の斜面の壁内部への法線Ｓ0 は他方の壁面と交わらないように構成されているので、外装ケース１が落下等により衝撃力を受け、斜面２ｄ、または、２ｅが溝３ｃと当接した場合でも凸部２ｃに曲げモーメントが作用しにくく、凸部２ｃの破損が防止される。【選択図】図５
2008107741.tif 000002
【特許請求の範囲】
【請求項１】
他の外装筐体と組み合わされる外装筐体であって、該他の外装筐体と対向する対向面を有し、該対向面には該他の外装筐体と組み合わされるための溝を有した第一の外装部材と、
上記他の外装筐体であって、上記対向面の溝に嵌合する突状の壁を有し、少なくとも該壁の一方の壁面は斜面からなり、該斜面の他方の壁面への法線は該他方の壁面と交わらないように構成された第二の外装部材と、
を有することを特徴とする携帯機器の外装筐体。
【請求項２】
上記突部の形状は一対の壁面からなることを特徴とする請求項１記載の携帯機器の外装筐体。
【請求項３】
他の外装筐体と組み合わされる外装筐体であって、該他の外装筐体と対向する第一の対向面を有し、該第一の対向面には該他の外装筐体と組み合わされるための溝を有した第一の外装部材と、
上記他の外装筐体であって、上記第一の対向面と対向する第二の対向面を有し、上記溝に嵌合する突状の壁を有し、少なくとも該壁の一方の壁面は斜面からなり、該斜面の壁内部への法線は、上記第二の対向面の延長線を境にして、上記突部の反対側で上記壁の他方の壁面と交わるように構成された第二の外装部材と、
を有することを特徴とする携帯機器の外装筐体。
【発明の詳細な説明】
【技術分野】
【０００１】
本発明は、携帯機器の外装筐体の構造に関する。
【背景技術】
【０００２】
従来、一対の外装筐体、例えば、前カバーと後カバーを組み合わせて１つの筐体を形成するタイプの携帯機器の外装筐体は、樹脂製箱型の筐体である場合、上記一対の外装筐体の組み合わせ面に嵌合部となる環状の凸部と凹部とが配されており、その凸部と凹部とを嵌合させて２つの外装筐体の位置決めを行い、ビス等によりネジ締結した外装筐体構造のものが一般的である。図７は、上記従来の携帯機器の外装筐体の凸部と凹部の嵌合状態を示した断面図である。この外装筐体１１は、前カバー１２と後カバー１３とからなり、後カバー１３に配されている凹部１３ａに前カバー１２に配されている凸部１２ａが嵌入して組み立てられている。なお、上記凸部１２ａは、通常、対向する平行な壁面を有する突起からなる。
【０００３】
上記従来の携帯機器を、万一、落下させた場合、衝撃力の大きさによっては上記一対の外装筐体にずれが生じて上記凸部１２ａが破損する可能性があった。
【０００４】
上記落下時の破損防止の箱内緩衝材として特許文献１に開示されたものは、箱の内部四隅に配設可能な緩衝材であり、この緩衝材は、箱内部に収納される物品の外周部分８箇所に当接させた状態で配置される。
【特許文献１】特開平３−５６２７５号公報
【発明の開示】
【発明が解決しようとする課題】
【０００５】
上述した図７の従来の携帯機器の外装筐体１１の落下時における凸部１２ａの破損の原因は、上記外装筐体のずれによって、凹部１３ａが当接して凸部１２ａが曲げモーメント、もしくは、剪断力を受けることが主な原因であり、上記凸部１２ａの根元部分Ｐ10が破損することが多い。
【０００６】
携帯機器の外装筐体に特許文献１に開示されている緩衝材を収納して耐衝撃性を向上させようとしても上記筐体が大型化する。
【０００７】
本発明は、上述の問題を解決するためになされたものであり、複数の筐体からなる携帯機器の外装筐体の構造において、落下等に対する耐衝撃性に優れ、小型化も可能である外装筐体を提供することを目的とする。
【課題を解決するための手段】
【０００８】
本発明の請求項１記載の携帯機器の外装筐体は、他の外装筐体と組み合わされる外装筐体であって、該他の外装筐体と対向する対向面を有し、該対向面には該他の外装筐体と組み合わされるための溝を有した第一の外装部材と、上記他の外装筐体であって、上記対向面の溝に嵌合する突状の壁を有し、少なくとも該壁の一方の面は斜面からなり、該斜面の他方の壁面への法線は該他方の壁面と交わらないように構成された第二の外装部材とを有する。
【０００９】
本発明の請求項２記載の携帯機器の外装筐体は、請求項１記載の携帯機器の外装筐体において、上記突部の形状は一対の壁面からなる。
【００１０】
本発明の請求項３記載の携帯機器の外装筐体は、他の外装筐体と組み合わされる外装筐体であって、該他の外装筐体と対向する第一の対向面を有し、該第一の対向面には該他の外装筐体と組み合わされるための溝を有した第一の外装部材と、上記他の外装筐体であって、上記第一の対向面と対向する第二の対向面を有し、上記溝に嵌合する突状の壁を有し、少なくとも該壁の一方の面は斜面からなり、該斜面の壁内部への法線は、上記第二の対向面の延長線を境にして、上記突部の反対側で上記壁の他方の壁面と交わるように構成された第二の外装部材とを有する。
【発明の効果】
【００１１】
本発明によれば、複数の筐体からなる携帯機器の外装筐体において、落下等に対する耐衝撃性に優れ、形状も簡単であって、小型化も可能である外装筐体を提供することができる。
【発明を実施するための最良の形態】
【００１２】
以下、図を用いて本発明の実施形態について説明する。  
図１は、本発明の一実施形態としての携帯機器の外装筐体であるカメラの外装ケースの斜視図である。図２は、上記外装ケースの背面図である。図３は、前カバーと後カバーとからなる上記外装ケースの分解斜視図である。図４は、図３の前カバーのＡ矢視図である。図５は、図３のＢ−Ｂ断面図である。図６は、図３のＣ−Ｃ断面図である。
【００１３】
本実施形態の外装ケース１は、図１〜３に示すように第二の外装部材（外装筐体）としての前カバー２と、第一の外装部材（外装筐体）としての後カバー３とからなり、カメラの構成部材（図示せず）がその内部に収納される。前カバー２と後カバー３とは、それぞれに設けられている環状の凸部２ｃと環状の溝部３ｃとを嵌合させて一体化される。
【００１４】
前カバー２および後カバー３は、ともに合成樹脂製であり、カバー対向方向であるＺ0 方向に開口する開口部を有する箱状の枠体である。
【００１５】
前カバー２は、前面部にレンズ窓２ｚが配され、上面部にレリーズ釦１０が配されており、後カバー３の対向面３ａ（後述）とＺ0 方向に垂直な平面からなる開口を囲む環状の第二の対向面である対向面２ａ，２ｂを有している。その対向面２ａは、前カバー開口部を巡る状態で上記平面方向に対して角部で屈曲し、帯状に形成されている。対向面２ａ，２ｂ上には上記帯状部分に沿い、突状の壁を有する凸部２ｃが形成されている。また、四角部に締結ビス９を螺合させるためのねじ穴（セルフタッピング穴）２ｙが配されている。
【００１６】
後カバー３は、Ｚ0 方向に垂直な平面からなる開口を囲む環状の第一の対向面である対向面３ａ，３ｂを有しており、その対向面３ａ，３ｂは、後カバー開口部を巡る状態で上記平面方向に対して角部で屈曲し、帯状に形成されている。対向面３ａには上記帯状部分に沿い、環状の凹状の溝部３ｃが形成されている。また、四角部に締結ビス９を挿通させるための挿通孔３ｙが配されている。
【００１７】
前カバー２と後カバー３との組み立ては、凸部２ｃを溝部３ｃに嵌入させ、対向面２ａ，２ｂと対向面３ａ，３ｂとをそれぞれ互いに当接させる。そして、四角部にて挿通孔３ｙ挿通させた締結ビス９をねじ穴２ｙに螺着して前カバー２と後カバー３とが一体化される。
【００１８】
図３のＢ−Ｂ部（角部）における前カバー２の凸部２ｃは、図５に示すように一対の壁面を形成する外側傾斜壁面２ｄと内側傾斜壁面２ｅを有する。一方、後カバー３の溝部３ｃは、凸部２ｃの傾斜壁面２ｄ，２ｅと嵌合可能な傾斜溝壁面３ｄ，３ｅを有する。
【００１９】
前カバー２の外側傾斜壁面２ｄは、その壁面２ｄから壁内部への法線が内側傾斜壁面２ｅと交差しないような傾斜面で形成される。詳しくは、外側傾斜壁面２ｄの先端からの法線の延長線Ｓ0 が内側傾斜壁面２ｅと対向面２ｂとの交点Ｐ0 より突部２ｃの内側（前カバー側）である内壁面２ｉを通る。なお、内側傾斜壁面２ｅも同様にその壁面２ｅからの法線（延長線）が外側傾斜壁面２ｄと交差しないような傾斜面で形成される。
【００２０】
一方、図３のＣ−Ｃ部（辺部、角部であってもよい）における前カバー２の凸部２ｆは、図６に示すように外側傾斜壁面２ｇと内側垂直壁面２ｈとを有する。但し、内側垂直壁面２ｈは、前カバー２の内壁面と同一平面を形成している。後カバー３の溝部３ｆは、壁面２ｇと嵌合当接可能な傾斜壁面３ｇを有する。
【００２１】
前カバー２の外側傾斜壁面２ｇは、その壁面２ｇから壁内部への法線の延長線Ｓ1 が内側垂直壁面２ｈと対向面２ａの延長線との交点Ｐ1 を境にして前カバー２の上記内壁面２ｉ側（前カバー側）寄りを通る（前カバー内壁面と交差する）傾斜面とする。
【００２２】
上述した嵌合形状を有する組み立て状態の外装ケース１を落下させ、図２に示すように角部（図３のＢ−Ｂ断面部分）が障害物１１０に衝突した場合、締結ビス９で固定された状態であってもねじのずれやケースの弾性変形によって、前カバー２と後カバー３との間に一時的あるいは永久的な相対位置ずれが生じる。
【００２３】
上記ずれにより後カバー３の傾斜壁面３ｄ、または、３ｅが前カバー２の外側傾斜壁面２ｄ、または、内側傾斜壁面２ｅに当接し、凸部２ｃが衝撃力を受ける。しかし、傾斜壁面２ｄ、または、２ｅが上述した傾斜壁面形状を有していることから少なくとも凸部２ｃの範囲は、曲げモーメントが緩和され、引張り応力も小さくなる。また、剪断力が発生しても凸部２ｃは、斜面で形成されており、凸部２ｃの根元範囲が大きいので剪断応力も小さくなる。したがって、凸部２ｃの根元部での破損が防止される。
【００２４】
また、外装ケース１の落下により図３のＣ−Ｃ断面の周囲が障害物に衝突して、前カバー２の凸部２ｆの外側傾斜壁面２ｇに後カバー３の溝部３ｆの傾斜壁面３ｇが当接したときも傾斜壁面２ｇが上述した傾斜壁面形状を有していることから少なくとも凸部２ｆの範囲は、曲げモーメントが緩和され、引張り応力も小さくなる。また、剪断力が発生しても凸部２ｆは、斜面で形成されており、凸部２ｆの根元範囲が大きいので剪断応力も小さくなる。したがって、凸部２ｆの根元部での衝撃による破損が防止される。
【００２５】
上述したように本実施形態のカメラ用外装ケース１によれば、構造を複雑化することなく、落下等に対する耐衝撃性、特に前カバーと後カバーとの嵌合凸部の耐衝撃性に優れ、小型化も可能である外装筐体を提供することができる。
【００２６】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００２７】
本発明の外装筐体は、複数の筐体からなる携帯機器の外装筐体において、落下等に対する耐衝撃性に優れ、形状も簡単であって、小型化も可能である外装筐体としての利用が可能である。
【図面の簡単な説明】
【００２８】
【図１】本発明の一実施形態としての携帯機器の外装筐体であるカメラの外装ケースの斜視図である。
【図２】図１の外装ケースの背面図である。
【図３】図１の外装ケースの分解斜視図である。
【図４】図３の前カバーのＡ矢視図である。
【図５】図３のＢ−Ｂ断面図である。
【図６】図３のＣ−Ｃ断面図である。
【図７】従来の携帯機器の外装筐体の凸部と凹部の嵌合状態を示した断面図である。
【符号の説明】
【００２９】
２…前カバー（外装筐体，第二の外装部材）
２ａ，２ｂ…対向面（第二の対向面）
２ｃ，２ｆ…凸部（溝に嵌合する突状部）
２ｄ…外側傾斜面（壁面，一対の壁面）
２ｅ…内側傾斜面（壁面，一対の壁面）
２ｇ…外側傾斜壁面（一方の壁面）
２ｈ…内側垂直壁面（他方の壁面）
３…後カバー（外装筐体，第一の外装部材）
３ａ，３ｂ…対向面（第一の対向面）
３ｃ，３ｆ…溝部（溝）
Ｓ0 ，Ｓ1 …壁面の法線の延長線
（壁内部への法線）
【図１】
2008107741.tif 000003
【図２】
2008107741.tif 000004
【図３】
2008107741.tif 000005
【図４】
2008107741.tif 000006
【図５】
2008107741.tif 000007
【図６】
2008107741.tif 000008
【図７】
2008107741.tif 000009